【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
それぞれ溝状の流体通路部が形成された第１伝熱板および第２伝熱板が積層され拡散接合されたコアと、
前記第１伝熱板に流体を導入および導出するための複数対の第１ポートと、
前記第２伝熱板に流体を導入および導出するための複数対の第２ポートとを備え、
前記第１伝熱板は、互いに異なる対の前記第１ポートに接続されるとともに互いに隔離された複数の第１流体通路部を含み、
各々の前記第１流体通路部は、分岐した複数の熱交換通路を有し、
前記第２伝熱板は、互いに異なる対の前記第２ポートに接続され、互いに隔離された複数の第２流体通路部を含み、
前記第２流体通路部が、前記第１流体通路部の前記複数の熱交換通路と、平面視で重なるように形成されている、拡散接合型熱交換器。
【請求項２】
各々の前記第１伝熱板の前記第１流体通路部は、前記第１ポートと接続される第１導入口および第１導出口を有し、
前記第２流体通路部は、平面視で前記第１導入口および前記第１導出口とは異なる位置に形成され、前記第２ポートと接続される第２導入口および第２導出口を有する、請求項１に記載の拡散接合型熱交換器。
【請求項３】
前記第２流体通路部は、前記第１流体通路部と同数設けられ、それぞれの前記第２流体通路部が、平面視で前記第１伝熱板の前記複数の第１流体通路部と重なる位置に配置されている、請求項１または２に記載の拡散接合型熱交換器。
【請求項４】
前記複数の第１流体通路部は、それぞれ、前記第１伝熱板の面内において、入口側の前記第１ポートに接続する一端部から対応する出口側の前記第１ポートに接続する他端部に向かう第１方向に向けて延びる長細形状に形成され、前記第１方向と直交する第２方向に沿って並んで配置されている、請求項１に記載の拡散接合型熱交換器。
【請求項５】
前記複数の第１流体通路部は、前記第１伝熱板の同一表面において互いに前記第２方向に離間して配置されており、
前記第１伝熱板は、前記第２方向に隣接する前記第１流体通路部の間に前記第２伝熱板との拡散接合面を有する、請求項４に記載の拡散接合型熱交換器。
【請求項６】
前記複数の第１流体通路部は、それぞれ、入口側の前記第１ポートに接続する一端部と対応する出口側の前記第１ポートに接続する他端部との間をつなぐ流路を有し、
前記複数の第１流体通路部のうち少なくとも一の第１流体通路部は、前記流路の流路幅、流路長さ、流路深さ、および、前記流路の本数の少なくともいずれかが、他の前記第１流体通路部と異なるように形成されている、請求項１に記載の拡散接合型熱交換器。
【手続補正２】
【補正対象書類名】明細書
【補正対象項目名】０００８
【補正方法】変更
【補正の内容】
【０００８】
上記目的を達成するために、この発明による拡散接合型熱交換器は、それぞれ溝状の流体通路部が形成された第１伝熱板および第２伝熱板が積層され拡散接合されたコアと、第１伝熱板に流体を導入および導出するための複数対の第１ポートと、第２伝熱板に流体を導入および導出するための複数対の第２ポートとを備え、第１伝熱板は、互いに異なる対の第１ポートに接続されるとともに互いに隔離された複数の第１流体通路部を含み、各々の第１流体通路部は、分岐した複数の熱交換通路を有し、第２伝熱板は、互いに異なる対の第２ポートに接続され、互いに隔離された複数の第２流体通路部を含み、第２流体通路部が、第１流体通路部の複数の熱交換通路と、平面視で重なるように形成されている。
【手続補正３】
【補正対象書類名】明細書
【補正対象項目名】０００９
【補正方法】変更
【補正の内容】
【０００９】
この発明による拡散接合型熱交換器では、上記のように、互いに異なる対の第１ポートに接続されるとともに互いに隔離された複数の第１流体通路部を含む第１伝熱板を設ける。これにより、複数種類の第１伝熱板を設ける代わりに、複数種類の第１流体通路部が形成された第１伝熱板を設けることができる。つまり、流体の種類毎に伝熱板を設けるのではなく、複数種類の流体に共通の第１伝熱板を設けることができる。その結果、複数種類の流体を共通の拡散接合型熱交換器で取り扱う場合にも、部品種類および部品点数を削減することができる。また、同一の第１伝熱板に複数種類の第１流体通路部を形成することができるので、流体毎の負荷（熱交換量）などに応じて、たとえば１つの第１流体通路部を小さくして、その分の空いたスペースに他の第１流体通路部を形成したり、製品の平面サイズを小さくできるなど、流体通路部の構成の自由度を十分に確保することができる。また、流体間の熱交換を効率的に行うことができる。また、複数の第２流体通路部を互いに異なる対の第２ポートに接続することによって、互いに対応する第１流体通路部と第２流体通路部とをそれぞれ流れる流体間の熱交換量に応じて、それぞれの第２流体通路部を流れる流体の種類や流量などを、第２流体通路部毎に個別に設定することが可能となる。
【手続補正４】
【補正対象書類名】明細書
【補正対象項目名】００１０
【補正方法】変更
【補正の内容】
【００１０】
上記発明による拡散接合型熱交換器において、好ましくは、各々の第１伝熱板の第１流体通路部は、第１ポートと接続される第１導入口および第１導出口を有し、第２流体通路部は、平面視で第１導入口および第１導出口とは異なる位置に形成され、第２ポートと接続される第２導入口および第２導出口を有する。
【手続補正５】
【補正対象書類名】明細書
【補正対象項目名】００１６
【補正方法】変更
【補正の内容】
【００１６】
【図１】本発明の第１実施形態による熱交換器を上面側から見た模式図である。
【図２】本発明の第１実施形態による熱交換器を側面側から見た模式図である。
【図３】第１伝熱板および第２伝熱板を示した模式的な斜視図である。
【図４】第１伝熱板および第２伝熱板の積層構造を説明するための模式図である。
【図５】第１伝熱板の第１流体通路部の構成例を示した平面図である。
【図６】第２伝熱板の第２流体通路部の構成例を示した平面図である。
【図７】第１流体通路部および第２流体通路部と直交する断面を示したコアの断面図である。
【図８】第２実施形態による熱交換器の第１伝熱板を示した模式図である。
【図９】図８における第１流体通路部と直交する断面を示した第１伝熱板の断面図である。
【図１０】第１実施形態の参考例による第１伝熱板（Ａ）および第２伝熱板（Ｂ）を示した模式図である。
【図１１】第１実施形態の変形例による第１伝熱板（Ａ）および第２伝熱板（Ｂ）を示した模式図である。
【手続補正６】
【補正対象書類名】明細書
【補正対象項目名】００７８
【補正方法】変更
【補正の内容】
【００７８】
また、上記第１実施形態では、第２伝熱板２０に、第１伝熱板１０の第１流体通路部１１と対応するように複数の第２流体通路部２１を設けた例を示したが、本発明はこれに限られない。図１０に示す参考例では、第１伝熱板１０の３つの第１流体通路部１１に対して、共通の１つの第２流体通路部２２１を第２伝熱板２２０に設けている。なお、この参考例では、第２流体通路部２２１は、第１流体通路部１１と直交するＹ方向に延びており、直交流型の熱交換器となっている。第２流体通路部２２１は、Ｘ方向の幅Ｗ５が第１流体通路部１１の長さＬ１と略等しく、第２伝熱板２２０のＹ方向の一端から他端まで延びるように形成されている。これにより、１つ（共通）の第２流体通路部２２１を流れるＤ流体と、３つの第１流体通路部１１をそれぞれ流れるＡ流体、Ｂ流体、Ｃ流体とが、熱交換をする。
【手続補正７】
【補正対象書類名】明細書
【補正対象項目名】００７９
【補正方法】変更
【補正の内容】
【００７９】
なお、第２流体通路部の数は、複数であればいくつでもよい。つまり、第１流体通路部と同数、または１つ以外の複数であってもよい。たとえば、１つの第１流体通路部に対応して複数（たとえば２つ）の第２流体通路部を設けてもよい。
【手続補正８】
【補正対象書類名】明細書
【補正対象項目名】００８１
【補正方法】変更
【補正の内容】
【００８１】
また、上記第１実施形態では、第２伝熱板２０の３つの第２流体通路部２１に同じ種類の流体（Ｄ流体）を供給する例を示したが、本発明はこれに限られない。本発明では、図１１に示す変形例のように、３つの第２流体通路部２１に異なる種類の流体を供給してもよい。図１１では、第１伝熱板１０（図１１（Ａ））の３つの第１流体通路部１１に、それぞれＡ流体、Ｂ流体、Ｃ流体が供給され、第２伝熱板２０（図１１（Ｂ））の３つの第２流体通路部２１に、それぞれＤ流体、Ｅ流体、Ｆ流体が供給される。この変形例では、第１流体通路部１１ａのＡ流体と第２流体通路部２１ａのＤ流体との間、第１流体通路部１１ｂのＢ流体と第２流体通路部２１ｂのＥ流体との間、第１流体通路部１１ｃのＣ流体と第２流体通路部２１ｃのＦ流体との間で、それぞれ熱交換が行われる。Ａ流体〜Ｆ流体は、互いに異なる種類の流体であってもよいし、一部が同じ種類の流体であってもよい。